(57)【特許請求の範囲】
【請求項１】
導光板の側面に複数の点状光源が配置され、前記点状光源から前記導光板へと入射した光が、前記導光板の主面から出射される光源ユニットを複数備え、該複数の光源ユニットがベースフレームによって位置決めされてなる照明装置であって、前記複数の光源ユニットが、前記ベースフレームの基準点を中心として放射状に配置され、前記複数の点状光源が、前記導光板の隣接する光源ユニットと対向する側面に配置されていることを特徴とする照明装置。
【請求項２】
導光板の側面に複数の点状光源が配置され、前記点状光源から前記導光板へと入射した光が、前記導光板の主面から出射される光源ユニットを複数備え、該複数の光源ユニットがベースフレームによって位置決めされてなる照明装置であって、前記複数の光源ユニットが、前記ベースフレームの基準点を中心として放射状に配置され、前記複数の点状光源が、前記導光板の隣接する光源ユニットと対向する側面に配置されており、
前記光源ユニットの導光板の、前記ベースフレームの基準点に近い側辺に対して、放射方向先方に位置する側辺の方が幅広に形成されていることを特徴とする照明装置。
【請求項３】
前記光源ユニットの導光板の、隣接する光源ユニット同士の対向する側辺の間隔が、前記ベースフレームの基準点に近い側辺から放射方向先方に位置する側辺に至るまでの間、一定となるように形成されていることを特徴とする請求項１又は２記載の照明装置。
【請求項４】
前記ベースフレームは平面視円形をなし、その中心が前記基準点であることを特徴とする請求項１から３のいずれか１項記載の照明装置。
【請求項５】
前記光源ユニットの点状光源は、前記ベースフレームに放射状に形成された切起し形状部に沿って配置されていることを特徴とする請求項１から４のいずれか１項記載の照明装置。
【請求項６】
前記切起し形状部は壁状をなし、その両側面に、隣接する光源ユニットの点状光源が配置されていることを特徴とする請求項５記載の照明装置。
【請求項７】
前記複数の光源ユニットの、隣接する光源ユニット同士の対向する側辺間を覆うようにして、前記導光板の主面からの光の出射方向へと突出するフレーム部材が配置され、該フレーム部材の前記導光板の主面から光の出射方向へと突出する部分を構成する面が、前記導光板の主面から光の出射方向先方へと向かう程、互いの間隔が狭まるように形成された一対の傾斜面を有していることを特徴とする請求項１から６のいずれか１項記載の照明装置。
【発明の詳細な説明】
【技術分野】
【０００１】
本発明は、照明装置に関するものである。
【背景技術】
【０００２】
従来、室内照明等一般照明用の光源としては、白熱灯や蛍光灯を用いることが一般的であったが、今日の青色発光ダイオード（ＬＥＤ）の高性能化に伴い、シーリングライトやダウンライト等の光源にもＬＥＤが用いられるようになっている（引用文献１、２参照）。
一例として、図６、図７に示される照明装置２０は、室内の天井に設置されるものであり、円形の内周端面２２ａと、円形の外周端面２２ｂとを有する円環状の導光板２２と、複数の点状光源２４とを有しており、複数の点状光源２４は、導光板２２の内周端面２２ａに沿って配置されている。ここで、導光板２２は、例えば、ポリカーボネート樹脂等の透明樹脂材料を、一定の厚みに成形してなるものである。導光板２２の上面（天井面１６側の面）２２ｃには、導光板２２内を伝搬する光の光路を変更する手段としての、例えば、ドットパターン（不図示）が形成されている。なお、図６（ａ）には、点状光源２４が円環帯状に図示されているが、これは、複数のＬＥＤが円周状に配列されたものを、便宜上省略して示したものである。
【０００３】
又、図７に示されるように、導光板２２の上面２２ｃには、反射板２６が配置され、下面（床面側の面）２２ｄは、導光板２２への入射光Ｌが導光板２２内を伝播する過程で、大部分が出射される主面となっている。そして、この下面２２ｄには、拡散板２８が配置されることで、主面２２ｄと直交する方向に対しある程度の角度幅をもって出射される光Ｌは、拡散板２８の光拡散効果によって、更に広範囲へと拡散されることとなる。なお、反射板２６及び拡散板２８は、いずれも導光板２２及び点状光源２４を覆う円環状をなしている。又、反射板２６は、通常、白色フィルムや銀蒸着フィルム等からなる拡散反射又は正反射部材である。一方、拡散板２８は、下面２２ｄから出射される光Ｌを拡散する機能を有するものであれば良く、適宜プリズムシートに置換することとしても良い。
なお、複数の点状光源２４が、導光板２２の外周端面２２ｂに沿って配置された照明装置もある。
【先行技術文献】
【特許文献】
【０００４】
【特許文献１】特開平１０−２１７１７号公報
【特許文献２】ＷＯ２００７／０２３８９１
【発明の概要】
【発明が解決しようとする課題】
【０００５】
ところで、光源にＬＥＤを用いた照明装置は、ＬＥＤの発光効率の改善途上ということもあり、従来の蛍光灯等の光源と同等の特性（明るさ）を満たす上で、点状光源を複数用いることが必要不可欠となっている。実際、上記従来技術においては、複数の点状光源２４が、導光板２２の内周端面２２ａや外周端面２２ｂに沿って配置された構成を有している。しかしながら、ＬＥＤのサイズや設置ピッチにより、実装可能な数が、内周端面２２ａや外周端面２２ｂの長さで決定されてしまうものである。
本発明は上記課題に鑑みてなされたものであり、その目的とするところは、点状光源を用いた照明装置の、更なる明るさの向上を図ることにある。
【課題を解決するための手段】
【０００６】
（発明の態様）
以下の発明の態様は、本発明の構成を例示するものであり、本発明の多様な構成の理解を容易にするために、項別けして説明するものである。各項は、本発明の技術的範囲を限定するものではなく、発明を実施するための最良の形態を参酌しつつ、各項の構成要素の一部を置換し、削除し、又は、更に他の構成要素を付加したものについても、本願発明の技術的範囲に含まれ得るものである。
【０００７】
（１）導光板の側面に複数の点状光源が配置され、前記点状光源から前記導光板へと入射した光が、前記導光板の主面から出射される光源ユニットを複数備え、該複数の光源ユニットがベースフレームによって位置決めされてなる照明装置。
本項に記載の照明装置は、ベースフレームによって位置決めされた、複数の光源ユニットの各々が、導光板の側面に複数の点状光源が配置された構成を有していることにより、各光源ユニットの導光板の側面に、点状光源を設置可能となる。そして、これらの光源ユニットを複数備えることで、照明装置全体としての、点状光源の数が増大するものとなる。
又、照明装置全体に対し、各光源ユニットの導光板の形状が個片化されて小型化されることで、導光板の成形も容易となる。又、適宜光源ユニットと共に用いられる反射板等の光学部品も、導光板と同様に個片化されることで、大きなシートから必要な形状を切り出す一般的手法を採用する場合には、一枚のシートを有効活用して、歩留まりの悪化を防ぐものともなる。更には、不良が発生した光源ユニットのみ交換することで、所望の明るさを回復させることが可能となる。
【０００８】
（２）上記（１）項において、前記複数の光源ユニットが、前記ベースフレームの基準点を中心として放射状に配置され、前記複数の点状光源が、前記導光板の隣接する光源ユニットと対向する側面に配置されている照明装置（請求項１）。
本項に記載の照明装置は、光源ユニットがベースフレームの基準点を中心として放射状に位置決めされ、複数の点状光源が、導光板の隣接する光源ユニットと対向する側面に配置されていることで、ベースフレームの基準点を中心として、光の照射範囲が放射状に広がるものとなる。
【０００９】
（３）上記（２）項において、前記光源ユニットの導光板の、前記ベースフレームの基準点に近い側辺に対して、放射方向先方に位置する側辺の方が幅広に形成されている照明装置（請求項２）。
本項に記載の照明装置は、光源ユニットの導光板の、ベースフレームの基準点に近い側辺に対して、放射方向先方に位置する側辺の方が（平面視）幅広に形成されていることにより、ベースフレームの基準点を中心として放射状に配置された各光源ユニット間の隙間が、ベースフレームの基準点から遠い位置においても大きく広がることがなくなる。よって、点状光源の発光が寄与しない無発光領域の拡大を防ぎ、導光板の主面から照射される光の均一化が図られる。
【００１０】
（４）上記（２）、（３）項において、前記光源ユニットの導光板の、隣接する光源ユニット同士対向する側辺の間隔が、前記ベースフレームの基準点に近い側辺から放射方向先方に位置する側辺に至るまでの間、一定となるように形成されている照明装置（請求項３）。
本項に記載の照明装置は、ベースフレームの基準点を中心として放射状に配置された各光源ユニットの導光板の、隣接する光源ユニット同士の対向する側辺の間隔が、ベースフレームの基準点からの距離に関わらず一定となる。よって、点状光源の発光が寄与しない無発光領域の拡大を防ぎ、導光板の主面から照射される光の均一化が図られる。
【００１１】
（５）上記（２）から（４）項において、前記ベースフレームは平面視円形をなし、その中心が前記基準点である照明装置（請求項４）。
本項に記載の照明装置は、ベースフレームが平面視円形をなし、その中心が基準点となる照明装置であり、光源ユニットがベースフレームの基準点を中心として放射状に位置決めされていることで、ベースフレームの基準点を中心として、光の照射範囲が放射状に広がるものとなる。
【００１２】
（６）上記（２）から（５）項において、前記光源ユニットの点状光源は、前記ベースフレームに放射状に形成された切起し形状部に沿って配置されている照明装置（請求項５）。
本項に記載の照明装置は、光源ユニットの点状光源が、ベースフレームに放射状に形成された切起し形状部に沿って配置されていることで、切起し形状部を有するベースフレームを介して、点状光源から発生する熱を放出するものとなる。
【００１３】
（７）上記（６）項において、前記切起し形状部は壁状をなし、その両側面に、隣接する光源ユニットの点状光源が配置されている照明装置（請求項６）。
本項に記載の照明装置は、壁状をなす切起し形状部の両側面に、隣接する光源ユニットの点状光源が配置されることで、隣接する光源ユニットの隙間を小さくして、点状光源の発光が寄与しない無発光領域を、可能な限り減少させ、照明装置の発光の均一化が図られる。
【００１４】
（８）上記（２）から（７）項において、前記複数の光源ユニットの、隣接する光源ユニット同士の対向する側辺間を覆うようにして、前記導光板の主面からの光の出射方向へと突出するフレーム部材が配置され、該フレーム部材の前記導光板の主面から光の出射方向へと突出する部分を構成する面が、前記導光板の主面から光の出射方向先方へと向かう程、互いの間隔が狭まるように形成された一対の傾斜面を有している照明装置（請求項７）。
本項に記載の照明装置は、複数の光源ユニットの、隣接する光源ユニットと対向する側辺を覆うようにして、導光板の主面からの光の出射方向へと突出するように配置されるフレーム部材によって、点状光源の発光が寄与しない無発光領域が覆われる。そして、フレーム部材の、導光板の主面から光の出射方向へと突出する部分を構成する一対の傾斜面が、導光板の主面から光の出射方向先方へと向かう程、互いの間隔が狭まるように形成されていることにより、導光板の主面から出射する光が一対の傾斜面に反射されてフレーム部材も受動的に発光し、照明装置の発光の均一化が図られる。
【００１５】
（９）上記（２）から（８）項において、前記複数の点状光源の設置間隔が、光源ユニットの導光板の、ベースフレームの基準点に近い側辺から放射方向先方に位置する側辺へと近づく程、短くなるように配置されている照明装置。
本項に記載の照明装置は、光源ユニットがベースフレームの基準点を中心として放射状に位置決めされ、ベースフレームの基準点を中心として、放射方向先方に近づく程、光の照射範囲が広がることから、それに応じて、点状光源の設置間隔を短く、より密に配置することで、照明装置の発光の均一化が図られる。
【発明の効果】
【００１６】
本発明はこのように構成したので、点状光源を用いた照明装置の、更なる明るさの向上を図ることが可能となる。
【図面の簡単な説明】
【００１７】
【図１】本発明の第１の実施の形態に係る照明装置を示す立体図であり、（ａ）は外観図、（ｂ）は（ａ）の乳白板を取り除いた状態を示す図、（ｃ）は裏側外観図である。
【図２】図１に示される照明装置の、構成部品を示す分解図である。
【図３】図１（ｂ）の要部拡大図であって、図１（ｂ）のＡ部から更に導光板、ハウジングフレーム、反射板を取り除いた状態を示す図である。
【図４】本発明の第２の実施の形態に係る照明装置を示す立体図であり、（ａ）は外観図、（ｂ）は（ａ）の乳白板を取り除いた状態を示す図である。
【図５】図４に示される照明装置の、構成部品を示す分解図である。
【図６】従来の照明装置の導光板及び点状光源を概略的に示すものであり、（ａ）は平面図、（ｂ）は断面図である。
【図７】図６（ｂ）に示される点状光源から導光板へと入射した光が、導光板の主面から出射される様子を模式的に示す断面図である。
【発明を実施するための形態】
【００１８】
以下、本発明の実施の形態を図面に基づき説明する。ここで、従来技術と同一部分、若しくは相当する部分については同一符号で示し、詳しい説明を省略する。
まず、本発明の第１の実施の形態について、図１〜図３を参照しながら、以下に説明する。本発明の第１の実施の形態に係る照明装置３０は、図１（ａ）に示されるように、全体として薄い円盤状の外観を呈しており、複数（図示の例では８組）の光源ユニット３２が、平面視円形のベースフレーム３４の中心点を基準として、放射状に配置されたものである。
【００１９】
光源ユニット３２は、図２に示されるように、導光板３６と、導光板３６の側面に配置される点状光源２４とを有し、点状光源２４から導光板３６へと入射した光が、導光板３６の主面３６ｄから出射されるものである。又、本実施の形態では、導光板３６の、ベースフレーム３４の基準点（中心点）に近い側辺３６ａに対して、放射方向先方に位置する側辺３６ｂの方が、平面視幅広に形成されているものである。しかも、導光板３６の、隣接する光源ユニットと対向する側辺３６ｅの間隔が、ベースフレーム３４の基準点に近い側辺３６ａから放射方向先方に位置する側辺３６ｂに至るまでの間、一定となるように、導光板３６は全体として扇状をなしている。
なお、導光板３６は、例えば、ポリカーボネート樹脂等の透明樹脂材料を、一定の厚みに成形してなるものであり、その上面（天井面側の面）３６ｃには、導光板３６内を伝搬する光の光路を変更する手段としての、例えば、ドットパターン（不図示）が形成されている点は、従来（図７）と同様である。
【００２０】
又、光源ユニットの点状光源２４は、導光板３６の、隣接する光源ユニットと対向する側辺３６ｅに沿って、複数配置されている。本実施の形態では、点状光源２４を構成するＬＥＤは回路基板（ＦＰＣ）３８に実装され、この回路基板３８が、ベースフレーム３４に放射状に形成された切起し形状部（図３の符号３４ｅ参照）に沿って配置されている。そして、両面テープ４０によって、回路基板３８が、切起し形状部３４ｅに固定される。導光板３６は、ベースフレーム３４の、点状光源２４に挟まれた扇状の領域に、導光板３６と平面視同一形状（扇状）に形成された反射板２６を介して、位置決めされる。
【００２１】
図示の例では、ベースフレーム３４はアルミ合金、ステンレス合金等からなり、切起し形状部３４ｅは壁状の切起しであり、各光源ユニット３２を構成する二列の点状光源群と同数（導光板３６の枚数の二倍の数）形成されている。そして、各切起し形状部３４ｅの片面（導光板３６と対向する側面）に回路基板３８が固定されている。しかしながら、切起し形状部３４ｅの数を導光板３６と同数とし、その両面に、各光源ユニット３２を構成する点状光源２４の回路基板３８を固定することとしても良い。
又、図示の例では、回路基板３８に実装された複数の点状光源２４の設置間隔は一定である。しかしながら、適宜、導光板３６の、ベースフレームの基準点に近い側辺３６ａから放射方向先方に位置する側辺３６ｂへと近づく程、点状光源２４設置間隔が短くなるように配置することとしても良い。
【００２２】
更に、複数の光源ユニット３２の、隣接する光源ユニット３２と対向する側辺、すなわち、複数の点状光源２４が配置された部分を覆うようにして、フレーム部材４２（図１（ｂ）（ｃ）、図２の符号４２ｅ参照）が配置されている。そして、フレーム部材４２ｅの導光板の主面から光の出射方向へと突出する部分を構成する面が、導光板３６の主面３６ｄから光の出射方向先方へと向かう程、互いの間隔が狭まるように形成された、一対の傾斜面４４を有している。この傾斜面４４は、導光板３６の主面３６ｄから出射する光が反射されることで、受動的に発光する反射面を構成するものである。よって、反射特性を向上させるために、フレーム部材４２ｅを、光拡散粒子を混入させた樹脂で成形し、又は、その表面に光拡散性塗料を塗布することが好ましい。
又、図示の例では、傾斜面４４は一定角度の傾斜面となっているが、例えば、ベースフレーム３４の中心点からの距離に応じて傾斜角度を変えたり、又、導光板３６の主面３６ｄから光の出射方向先方へと向かうにつれて、傾斜角度を変化させたり、曲面によって構成する等、必要な反射特性を得るための面構成を採用することが望ましい。
【００２３】
又、フレーム部材４２ｅは、導光板３６の主面３６ｄからの光の出射方向へと突出するようにして、ベースフレーム３４の切起し形状部３４ｅに伴い形成される開口部３４ｆに嵌入され、それによって導光板３６をベースフレーム３４に固定するものである。
なお、ベースフレーム３４には、各光源ユニット３２を構成する導光板３６の、ベースフレーム３４の中心点に近い側辺３６ａと、放射方向先方に位置する側辺３６ｂとの各々に対向する位置にも、切起し形状部３４ａ、３４ｂ（図３参照）が形成されており、これらの切起し形状部３４ａ、３４ｂによっても、ベースフレーム３４に対する導光板３６の位置決めがなされる。そして、切起し形状部３４ａ、３４ｂに伴い形成される開口部に、フレーム部材４２ｅと同様にフレーム部材４２ａ、４２ｂ（図２）が各々嵌入され、それらによっても導光板３６をベースフレーム３４に固定している。
【００２４】
そして、各光源ユニット３２の光の出射面側が、平面視円環状の拡散板２８（図２の例ではアクリル乳白板）で覆われることで、照明措置３０が構成されている。
【００２５】
さて、上記構成をなす、本発明の実施の形態によれば、次のような作用効果を得ることが可能となる。
すなわち、本発明の第１の実施の形態に係る照明装置３０は、各光源ユニット３２の導光板３６の側面３６ｅに、複数の点状光源２４が配置された構成を有していることから、これらの光源ユニット３２を複数備えることで、照明装置３０全体としての、点状光源２４の数が増大するものとなる。よって、従来の蛍光灯等の光源と同等かそれを上回る特性（明るさ）を実現し得るものとなる。
【００２６】
又、照明装置３０の全体に対し、各光源ユニット３２の導光板３６の形状が個片化されて小型化されることで、導光板３６の成形も容易となる。又、適宜光源ユニット３２と共に用いられる反射板２６等の光学部品も、導光板３６と同様に個片化されることで、大きなシートから必要な形状を切り出す一般的手法を採用する場合には、一枚のシートを有効活用して、歩留まりの悪化を防ぐものともなる。更には、不良が発生した光源ユニット３２のみ交換することで、所望の明るさを容易に回復させることが可能となる。
しかも、ベースフレーム３４が平面視円形をなし、光源ユニット３２がベースフレーム３４の中心点を基準として、放射状に位置決めされ、複数の点状光源２４が、導光板３６の隣接する光源ユニットと対向する側面（側辺３６ｅ）に沿って配置されていることで、ベースフレーム３４の中心点を基準として、光の照射範囲が放射状に広がるものとなる。
【００２７】
又、光源ユニット３２の導光板３６の、ベースフレーム３４の中心点に近い側辺３６ａに対して、放射方向先方に位置する側辺３６ｂの方が幅広に形成されている。より具体的には、ベースフレーム３４の中心点を基準として放射状に配置された各光源ユニット３２間の隙間が、ベースフレーム３４の中心点からの距離に関わらず一定となるように、導光板３６が平面視扇状に形成されていることにより、ベースフレーム３４の中心点を基準として放射状に配置された各光源ユニット３２間の隙間が、ベースフレーム３４の中心点から遠い位置においても大きく広がることがなくなる。よって、導光板３６の主面３６ｄから照射される光の均一化が図られることとなる。
なお、平面視扇状の導光板３６は、必ずしも、ベースフレーム３４の中心点を基準として放射状に配置された各光源ユニット３２間の隙間が、ベースフレーム３４の中心点からの距離に関わらず一定となる形状である必要はない。又、複数の光源ユニット３２の形状が、全て同一である必要も無く、少なくとも、所定数の光源ユニット３２が、ベースフレーム３４の中心点を基準として放射状に配置可能であれば、本照明装置３０を構成可能である。
【００２８】
又、光源ユニット３２の点状光源２４が、ベースフレーム３４に放射状に形成された切起し形状部３４ｅに沿って配置されていることで、切起し形状部３４ｅを有するベースフレームを介して、点状光源から発生する熱を照明装置３０の外部に効率的に放出することが可能となる。なお、切起し形状部３４ｅは、点状光源２４（回路基板３８）を固定することが可能な平面を有し、好ましくは、放熱性を向上させる形状を有していれば良いことから、図示の壁状の切起しのみならず、例えば、断面Ｌ字状の切起しや、峰状に連なる突起形状であっても良い。
更に、ベースフレーム３４の、壁状をなす切起し形状部３４ｅの両側面に、隣接する光源ユニット３２の点状光源２４を配置することとすれば、隣接する光源ユニット３２の隙間を小さくして、点状光源２４の発光が寄与しない無発光領域を可能な限り減少させ、照明装置３０の発光の更なる均一化を図ることが可能となる。
【００２９】
又、本実施の形態によれば、複数の光源ユニット３２の、隣接する光源ユニット３２と対向する側辺を覆うようにして、導光板３６の主面３４ｄからの光の出射方向へと突出するように配置されるフレーム部材４２ｅによって、点状光源２４の発光が寄与しない無発光領域を覆い隠すものである。そして、フレーム部材４２ｅの、導光板３６の主面３６ｄから光の出射方向へと突出する部分を構成する、導光板３６の主面３６ｄから光の出射方向先方へと向かう程、互いの間隔が狭まるように形成された一対の側面が、傾斜面４４となっていることにより、導光板の主面から出射する光が、この傾斜面４４に反射されることで、フレーム部材４２ｅも受動的に発光し、照明装置３０の発光の更なる均一化が図られるものとなる。
【００３０】
加えて、ベースフレーム３４の中心点を基準として、放射方向先方に近づく程、光の照射範囲が広がる。よって、光源ユニット３２を構成する複数の点状光源２４の設置間隔も、導光板３６の、ベースフレームの基準点に近い側辺３６ａから放射方向先方に位置する側辺３６ｂへと近づく程、短く、より密に配置することで、照明装置３０の発光の均一化が図られるものとなる。
【００３１】
なお、本発明の第１の実施の形態では、ベースフレーム３４が平面視円形をなし、その中心を、複数の光源ユニット３２を放射状に配置するための、基準点とすることで、照明装置３０は、図１（ａ）に示されるように、全体として薄い円盤状の外観を呈するものとなっているが、これに限定されるものではなく、例えば、ベースフレーム３４が多角形をなしていても、同様の構成を採用することが可能である。
【００３２】
続いて、図４、図５を参照しながら、本発明の第２の実施の形態についての説明を行う。ここで、従来技術又は本発明の第１の実施の形態と同一部分、若しくは相当する部分については同一符号で示し、詳しい説明を省略する。
【００３３】
本発明の第２の実施の形態に係る照明装置５０は、図５に示されるように、光源ユニット３２を構成する導光板５２が、平面視長方形をなしている。又、導光板５２の、隣接する光源ユニット３２と対向する側辺５２ｅに沿って、回路基板３８に実装された、点状光源２４を構成するＬＥＤが配置されている。そして、これらが全て平面視長方形の枠状のハウジングフレーム５４に収容されて、図４（ｂ）に示されるように一体化されたものである。そして、この平面視長方形の光源ユニット３２が、ベースフレーム３４に対して、同じく平面視長方形の反射板２６を介して載置されている。
【００３４】
又、ベースフレーム３４には、図５に示されるように、光源ユニット３２の、ハウジングフレーム５４の四辺を位置決めするための切起し形状部３４ａ、３４ｂ、３４ｅが形成されており、これら切起し形状部３４ａ、３４ｂ、３４ｅによって、図示の例では８組の光源ユニット３２が、平面視円形のベースフレーム３４の中心点を基準として、放射状に配置されているものである。
更に、本実施の形態では、各光源ユニット３２の、隣接するハウジングフレーム５４の間に形成される、平面視扇状の無発光領域にも、平面視扇状の反射板５６（材質は反射板２６と同じ）が配置される。
【００３５】
さて、上記構成をなす、本発明の第２の実施の形態に係る照明装置５０によれば、導光板５２の形状が平面視長方形をなすことで、第１の実施の形態の導光板３６よりも単純化されるものである。又、光源ユニット３２の各構成要素がハウジングフレーム５４によって一体化されることから、ベースフレーム３４に対する光源ユニット３２の着脱も容易となる。更に、ハウジングフレーム５４の形状も、長方形の枠状に単純化されるものである。
なお、本発明の第２の実施の形態により得られる、第１の実施の形態と同様の作用効果については、説明を省略する。又、本発明の第２の実施の形態の特徴部分を、適宜、第１の実施の形態に適用することも、その逆も可能であることは理解されるであろう。
【符号の説明】
【００３６】
２４：点状光源、  ２６、５６：反射板、２８：拡散板、  ３０、５０：照明装置、３２：光源ユニット、３４：ベースフレーム、  ３６、５２：導光板、  ３６ａ、５２ａ、：ベースフレームの基準点に近い側辺、  ３６ｂ、５２ｂ：ベースフレームの基準点に対し放射方向先方に位置する側辺、  ３６ｃ、３６ｄ、５２ｃ、５２ｄ：主面、  ３６ｅ、５２ｅ：隣接する光源ユニットと対向する側辺、  ３８ａ、３８ｂ、３８ｅ：切起し形状部、４０：両面テープ、  ４２、４２ａ、４２ｂ、４２ｅ：フレーム部材、４４：傾斜面
【図１】
0005733509.tif 000002
【図２】
0005733509.tif 000003
【図３】
0005733509.tif 000004
【図４】
0005733509.tif 000005
【図５】
0005733509.tif 000006
【図６】
0005733509.tif 000007
【図７】
0005733509.tif 000008